(57)【要約】【課題】位置検出器を精度よく固定することができるとともに、省スペース化を図ることができる光量調節装置を提供する。【解決手段】この光量調節装置は、駆動ユニットのカバー部材１に設けた座部１ｄのケース部材１３への軸方向の押圧により、薄肉部１ｄ−２を弾性変形させてヨーク９を軸受部１０近傍で位置検出器１２が設けられたケース部材１３に付勢力を持って当接させ、これにより、駆動ユニットをケース部材１３に固定する。【選択図】図３
2008102342.tif 000002
【特許請求の範囲】
【請求項１】
回転軸を有するロータと、該ロータの外周面に径方向に対向配置され、前記ロータの出力軸部の一方の端部を回転可能に支持する軸受部を有するヨークと、前記ロータの回転軸の他方の端部を回転可能に支持するとともに、前記ヨークを係止するカバー部材と、を備える駆動ユニットと、
該駆動ユニットの前記カバー部材が固定されるケース部材と、を具備する光量調節装置において、
前記カバー部材は、前記ケース部材に固定された際に該ケース部材を軸方向に押圧する座部と、軸方向から見て該座部の前記軸受部側に設けられた薄肉部と、を有し、
前記座部の前記ケース部材への軸方向の押圧により、前記薄肉部を弾性変形させて前記ヨークまたは前記カバー部材の一部を、前記軸受部近傍で前記ケース部材に付勢力を持って当接させる、ことを特徴とする光量調節装置。
【請求項２】
前記ケース部材が、撮像装置の絞り機構を構成する部材である、ことを特徴とする請求項１に記載の光量調節装置。
【請求項３】
前記ケース部材に設けられ、前記駆動ユニットの回転軸の回転力が伝達される駆動部材の位置を検出する位置検出器と、前記カバー部材に設けられ、前記位置検出器を軸方向に押圧する押圧部と、を備え、
該押圧部は、前記座部の前記ケース部材への軸方向の押圧力を利用して前記位置検出器を軸方向に押圧する、ことを特徴とする１又は２に記載の光量調節装置。
【請求項４】
前記薄肉部の位置をＰ、該薄肉部の弾性変形によって前記ヨークまたは前記カバー部材が前記ケース部材に当接する位置をＱ、前記押圧部による前記位置検出器の押圧により前記カバー部材が反力を受ける位置をＳとし、
前記ヨークまたはカバー部材がＱ点で当接する力ｆ１の線分ＰＱに対する垂直分力をｆ１ａ、前記カバー部材がＳ点で受ける力ｆ３の線分ＰＳに対する垂直分力をｆ３ａとし、線分ＰＱの長さをＬ１、線分ＰＳの長さをＬ３とした場合に、
ｆ１ａ・Ｌ１＞ｆ３ａ・Ｌ３の関係を満足することを特徴とする請求項３に記載の光量調節装置。
【請求項５】
前記カバー部材は、前記軸受部を中心として前記座部の略対称位置に前記ケース部材に係止される係止部が設けられた弾性片部を有し、
該弾性片部に所定の撓み量を持たせて前記係止部を前記ケース部材にスナップフィット結合する、ことを特徴とする１〜４のいずれか一項に記載の光量調節装置。
【請求項６】
前記薄肉部の位置をＰ、前記薄肉部の弾性変形によって前記ヨークまたは前記カバー部材が前記ケース部材に当接する位置をＱ、前記弾性片部の係止爪部が反力を受ける係止位置をＲ、前記押圧部による位置検出器の押圧により前記カバー部材が反力を受ける位置をＳとし、
前記ヨークまたは前記カバー部材がＱ点で当接する力ｆ１の線分ＰＱに対する垂直分力をｆ１ａ、前記カバー部材がＲ点で受ける力ｆ２の線分ＰＲに対する垂直分力をｆ２ａ、前記カバー部材がＳ点で受ける力ｆ３の線分ＰＳに対する垂直分力をｆ３ａとし、
線分ＰＱの長さをＬ１、線分ＰＲの長さをＬ２、線分ＰＳの長さをＬ３とした場合に、  ｆ１ａ・Ｌ１＋ｆ２ａ・Ｌ２＞ｆ３ａ・Ｌ３の関係を満足する、ことを特徴とする請求項５に記載の光量調節装置。
【発明の詳細な説明】
【技術分野】
【０００１】
本発明は、例えば撮像装置のレンズ鏡筒等に搭載される光量調節装置に関する。
【背景技術】
【０００２】
従来のこの種の光量調節装置としては、例えば、カムプレート、ロータリープレート、複数の絞り羽根、ケース部材、検出器、および駆動源を備えるものがある。
【０００３】
ロータリープレートは、光軸周りに回転可能に配置されている。複数の絞り羽根は、カムプレートとロータリープレートとの間に配置され、カムプレートのカム穴部およびロータリープレートの穴部に嵌合し、ロータリープレートの回転によって開口面積を変化させるように動作する。ケース部材は、カムプレートとの間にロータリープレートおよび絞り羽根を収納する。駆動源は、ケース部材に固定され、ロータリープレートを回転駆動させる。検出器は、ロータリープレートの回転位置を検出することで、絞り羽根が開放基準位置にあるか否かを判別する。駆動源および検出器は、端子部にフレキシブルプリント基板が固定されて、絞り駆動回路と接続されている（特許文献１）。
【０００４】
また、絞り羽根を駆動する駆動源にケース部材に取り付けるためのフランジ部を固着して、フランジ部を駆動源の出力軸周りに回転させた後、該フランジ部をビス等によりケース部材に固定するようにしたものが提案されている（特許文献２）。
【特許文献１】特開平６−９５２０５号公報
【特許文献２】特開２００４−１９１７７２公報
【発明の開示】
【発明が解決しようとする課題】
【０００５】
上記特許文献１では、検出器は、フレキシブルプリント基板に固定されてケース部材に設けられた凹部に配置されるが、ラジアル方向に固定されないため、センサ部分がロータリープレートの検出片から離れる場合がある。この場合、通常の検出のタイミングからずれて、絞り羽根による開口面積に誤差が生じてしまう。
【０００６】
また、上記特許文献２では、駆動源に固着されたフランジ部を回転させて組み込むため、フランジ部の回転方向には回転動作の障害となる壁や部材を配置することができず、装置のレイアウトに制約が生じてしまう。
【０００７】
そこで、本発明は、位置検出器を精度よく固定することができるとともに、省スペース化を図ることができる光量調節装置を提供することを目的とする。
【課題を解決するための手段】
【０００８】
上記目的を達成するために、本発明の光量調節装置は、回転軸を有するロータと、該ロータの外周面に径方向に対向配置され、前記ロータの出力軸部の一方の端部を回転可能に支持する軸受部を有するヨークと、前記ロータの回転軸の他方の端部を回転可能に支持するとともに、前記ヨークを係止するカバー部材と、を備える駆動ユニットと、該駆動ユニットの前記カバー部材が固定されるケース部材と、を具備する光量調節装置において、前記カバー部材は、前記ケース部材に固定された際に該ケース部材を軸方向に押圧する座部と、軸方向から見て該座部の前記軸受部側に設けられた薄肉部と、を有し、前記座部の前記ケース部材への軸方向の押圧により、前記薄肉部を弾性変形させて前記ヨークまたは前記カバー部材の一部を、前記軸受部近傍で前記ケース部材に付勢力を持って当接させる、ことを特徴とする。
【発明の効果】
【０００９】
本発明によれば、駆動部材の検出片に対して位置検出器をカバー部材の付勢力により精度よく位置決め固定することが可能となる。これにより、位置検出器の位置ずれによる検出タイミングの変動を回避することができる。
【００１０】
また、カバー部材によりケース部材を軸方向に押さえる構造にして、駆動ユニットを回転させずに軸方向に組み込むようにしているので、駆動ユニットを固定するためのフランジ部等を設ける必要がなくなり、省スペース化を実現することができる。
【発明を実施するための最良の形態】
【００１１】
以下、本発明の実施の形態の一例を図を参照して説明する。
【００１２】
まず、図６を参照して、本発明の実施の形態の一例である光量調節装置が搭載されるレンズ交換式オートフォーカス一眼レフカメラを説明する。
【００１３】
このカメラは、図６に示すように、カメラ本体２００にレンズ本体３００が着脱自在に装着される。カメラ本体２００は、電源スイッチ２０３、レリーズスイッチ２０４、およびカメラＣＰＵ２０１を備える。レンズ本体３００は、レンズＣＰＵ３０１、合焦装置３０６、および絞り装置３０７を備える。
【００１４】
カメラＣＰＵ２０１は、マイクロコンピュータで構成され、測距装置２０８、測光装置２０５、露光装置２０６、記憶装置２０７、および表示装置２０９等を制御する。また、カメラＣＰＵ２０１は、レンズ本体３００の装着時にレンズ接点３０２とカメラ接点２０２とが接続されると、レンズＣＰＵ３０１との間で通信を行う。
【００１５】
電源スイッチ２０３は外部から操作可能とされ、オン操作によりカメラＣＰＵ２０１を立ち上げてシステム内の各アクチュエータやセンサ等への電源供給及びシステムの動作を可能な状態とする。
【００１６】
レリーズスイッチ２０４は、外部から操作可能な２段ストローク式のスイッチで、その操作信号はカメラＣＰＵ２０１に入力される。カメラＣＰＵ２０１は、レリーズスイッチ２０４の第１ストロークＳＷがＯＮであれば、測光装置２０５による露光量の決定や測距装置２０８による被写体の測距演算結果に基づく合焦装置３０６への合焦レンズ駆動命令による合焦動作および合焦判定等を行う。これにより、撮影準備状態に入る。
【００１７】
また、カメラＣＰＵ２０１は、レリーズスイッチ２０４の第２ストロークＳＷがＯＮまで操作されたことを検出すると、レンズ本体３００内のレンズＣＰＵ３０１に絞り装置３０７の駆動命令を送信する。そして、絞り装置３０７を駆動するとともに、露光装置２０６に露光開始命令を送信して実際の露光動作を行わせ、露光終了信号を受信すると記憶装置２０７に記録開始命令を送信して撮影画像の記憶処理を行わせる。
【００１８】
表示装置２０９は、絞り値やシャッタスピードなどの各種撮影条件や、撮影枚数、電池残量、各種モードを、カメラＣＰＵ２０１の指令により表示する。
【００１９】
レンズＣＰＵ３０１は、レンズ本体３００内の合焦装置３０６および絞り装置３０７等の種々の装置回路の動作を制御する。また、レンズＣＰＵ３０１は、レンズ本体３００がカメラ本体２００に装着されてレンズ接点３０２とカメラ接点２０２とが接続されると、カメラＣＰＵ２０１との間で通信を行う。
【００２０】
合焦装置３０６は、合焦レンズおよびそのレンズ保持部材と、合焦レンズを目標位置まで駆動するための合焦レンズ駆動手段と、合焦レンズ駆動手段による駆動力を合焦レンズの移動力として伝達する伝達機構とを備える。また、合焦装置３０６は、カメラＣＰＵ２０１から送信された合焦レンズの移動量情報に従ってレンズＣＰＵ３０１により制御され、合焦レンズ駆動手段に駆動指令を送る合焦レンズ駆動回路を備える。
【００２１】
絞り装置３０７は、開口面積を設定する絞り機構と、絞り機構を駆動するための駆動ユニットと、カメラＣＰＵ２０１から送信された絞り動作命令に従ってレンズＣＰＵ３０１により制御され、駆動ユニットに駆動指令を送る駆動回路とを備える。
【００２２】
ここで、本発明の実施の形態の一例である光量調節装置は、絞り装置３０７内の絞り機構および駆動ユニットによって構成される。図１は本発明の実施の形態の一例である光量調節装置を説明するための分解斜視図、図２は図１に示す光量調節装置の駆動ユニットを説明するための斜視図である。図３は図１に示す光量調節装置の絞り機構と駆動ユニットとの組立方法を説明するための図、図４は図１に示す光量調節装置の絞り機構と駆動ユニットとの組立完了図、図５は図４の部分断面図である。
【００２３】
図１に示すように、本発明の実施の形態の一例である光量調節装置は、カバー部材１、ロータ２、ボビン５ａ，５ｂ、ヨーク９、軸受部材１０、位置検出器１２、ケース部材１３、ロータリープレート１４、絞り羽根１５、およびカムプレート１６を備える。この実施の形態では、カバー部材１、ロータ２、ボビン５ａ，５ｂ、ヨーク９、軸受部材１０等によって駆動ユニットを構成し、位置検出器１２、ケース部材１３、ロータリープレート１４、絞り羽根１５、およびカムプレート１６等によって絞り機構を構成する。
【００２４】
カバー部材１は、合成樹脂などの弾性材料で形成されており、ロータ２およびボビン５ａ，５ｂ等を収納する。カバー部材１の略中央部には、軸受穴１ａが形成され、軸受穴１ａの回りには、ボビン５ａ，５ｂの端子を挿通させる穴部１ｂ−１〜１ｂ−４が形成されている。また、カバー部材１の両側部には、それぞれ位置検出器１２を押さえるための張り出し片１ｃ、およびカバー部材１をケース部材１３に押圧固定するための座部１ｄが設けられている。
【００２５】
張り出し片１ｃには、位置検出器１２の端子部１２ａを挿通させる穴部１ｃ−１〜１ｃ−３、および位置検出器１２の端面と接触する突起部１ｊ（押圧部：図２参照）が設けられている。座部１ｄには、締結部材挿通穴１ｄ−１、およびケース部材１３に嵌合によって位置決めするための嵌合片部１ｅ−１，１ｅ−２が設けられている。また、座部１ｄの軸受穴１ａ寄りには、薄肉片部（薄肉部）１ｆが設けられている。
【００２６】
また、カバー部材１には、ケース部材１３にスナップフィット結合するための係止爪部（係止部）１ｋ−２を先端に有する弾性片部１ｋ、およびヨーク９を嵌合させて位置決めするための嵌合部１ｇ−１，１ｇ−２，１ｈ−１〜１ｈ−４が設けられている。
【００２７】
ロータ１は永久磁石で形成され、内周部に円盤状のコア３が接着等により固定されている。コア３には回転軸４が圧入等により嵌合固定されており、回転軸４のカバー部材１側の端部は該カバー部材の軸受穴１ａに回転可能に支持されている。また、コア３と軸受部材１０との間には、コア３の端面と軸受部材１０の端面との摺動摩擦を低減させるためのワッシャ７が介装される。ワッシャ７は、潤滑性の高い材料で形成されている。
【００２８】
ボビン５ａ，５ｂは合成樹脂等で形成されており、給電のための端子部を有する。また、ボビン５ａ，５ｂには、コイル６ａ，６ｂが取り付けられるとともに、端子部にコイル引き出し線が絡げられて、半田によるメッキ処理が施されている。また、コイル６ａ，６ｂとヨーク８との間には、両者が導通しないようにするための絶縁性のシート部材８が介装される。このシート部材８には、軸受部材１０の逃げ穴部８ａとヨーク９の逃げ穴部８ｂ−１，８ｂ−２とが形成されている。
【００２９】
ヨーク９は軟磁性材料で形成されており、ロータ２と径方向に対向するように曲げられたステータ部９ｂ−１，９ｂ−２、軸受部材１０を圧入等により固定するための穴部９ａ、およびカバー部材１と嵌合するための嵌合面部９ｃ−１〜９ｃ−６を有している。
【００３０】
軸受部材（軸受部）１０は磁性材料で形成され、回転軸４のカバー部材１の反対側の端部を回転可能に支持する軸受穴１０ａ、およびフランジ部１０ｂを有する。軸受穴１０ａから突出する回転軸４の先端には、ピニオン１１が固定される。ピニオン１１は、回転軸４が圧入等により固定されるための穴部１１ａ、駆動ユニットの回転力をロータリープレート１４に伝達するためのギヤ部１１ｂを有する。
【００３１】
位置検出器１２は、フォトインタラプタ等の位置検出素子が用いられており、ロータリープレート１４の回転位置を検出する。位置検出器１２には、端子部１２ａが設けられている。
【００３２】
ケース部材１３は合成樹脂等で形成されており、光軸方向に突出した突出部１３ａを有する。ケース部材１３には、カバー部材１の座部１ｄの裏面が当接する受け面部１３ａ−３、嵌合片部１ｅ−１，１ｅ−２の嵌合端面１ｅ−１−ａ，１ｅ−２−ａが嵌合する嵌合突起部１３ａ−２−ａが設けられている。嵌合突起部１３ａ−２は、裏面にも設けられている。
【００３３】
また、ケース部材１３には、締結部材挿通穴１ｄ−１に挿入された締結部材１７が締め込まれるねじ穴部１３ａ−１、ピニオン１０の挿通穴部１３ｂ、軸受１０のフランジ部１０ｂの嵌合穴部１３ｃ、ヨーク９の端面を当接させる座面１３ｄが設けられている。
【００３４】
さらに、ケース部材１３には、位置検出器１２を収納する収納部１３ｅ、ロータリープレート１４の遮蔽板部１４ａの逃げ穴１３ｇ、および弾性片部１ｋの挿通穴１３ｆが設けられている。また、ケース部材１３には、カムプレート１６のスナップフィット部１６ｂ−１〜１６ｂ−３の挿通溝１３ｈ−１〜１３ｈ−３、位置決め軸１６ａ−１、１６ａ−２の嵌合穴および溝１３ｉ−１，１３ｉ−２が施されている。さらに、ケース部材１３には、ロータリープレート１４の嵌合リブ部１４ｂ−１〜１４ｂ−６が嵌合する嵌合穴部１３ｊが設けられている。
【００３５】
ロータリープレート（駆動部材）１４は合成樹脂等で形成されており、位置検出器１２の投射光を遮蔽するための検出片としての遮蔽板部１４ａが設けられている。また、ロータリープレート１４には、嵌合穴部１３ｊに嵌合してロータリープレート１４を光軸中心に回転させるための嵌合リブ部１４ｂ−１〜１４ｂ−６が設けられている。
【００３６】
また、ロータリープレート１４には、ピニオン１１のギヤ部１１ｂに噛合してロータリープレート１４に回転駆動力を伝達するためのギヤ部１４ｃが設けられている。さらに、ロータリープレート１４には、絞り羽根１５の嵌合軸部１５ａ−１，１５ｂ−１，１５ｃ−１，１５ｄ−１，１５ｅ−１，１５ｆ−１が嵌合するための嵌合穴部１４ｄ−１〜１４ｄ−６が設けられている。
【００３７】
さらに、ロータリープレート１４には、ケース部材１３の端面に光軸方向に当接してロータリープレート１４の光軸方向の位置を定めるための突起部１４ｅ−１〜１４ｅ−３（１４ｅ−３は不図示）が設けられている。突起部１４ｅ−１〜１４ｅ−３は、ほぼ光軸周りに等分に配置されている。ロータリープレート１４の中央部には、開口１４ｆが設けられている。
【００３８】
絞り羽根１５は合成樹脂または金属薄板等で形成され、嵌合穴部１４ｄ−１〜１４ｄ−６に嵌合する嵌合軸部１５ａ−１，１５ｂ−１，１５ｃ−１，１５ｄ−１，１５ｅ−１，１５ｆ−１を有する。また、絞り羽根１５には、カムプレート１６のカム穴１６ｃ〜１６ｈに嵌合する嵌合軸部１５ａ−２，１５ｂ−２，１５ｃ−２，１５ｄ−２，１５ｅ−２，１５ｆ−２（１５ｂ−２，１５ｃ−２，１５ｄ−２は不図示）が設けられている。
【００３９】
カムプレート１６は、カム穴１６ｃ〜１６ｈ、ケース部材１３との位置決めのための軸部１６ａ−１，１６ａ−２を有する。また、カムプレート１６には、ケース部材１３にカムプレート１６をスナップフィット結合させるためのスナップフィット部１６ｂ−１〜１６ｂ−３、および開口穴部１６ｋが設けられている。
【００４０】
次に、駆動ユニットの組立手順について説明する。
【００４１】
まず、ヨーク９の穴部９ａに軸受部材１０の外径部を圧入等によって固定して、ヨーク９に軸受部材１０を取り付ける。かかる状態においては、軸受部材１０のフランジ部１０ｂがヨーク９の端面に当接し、軸受部材１０のヨーク９に対する位置決めがなされる。また、ヨーク９のステータ部９ｂ−１，９ｂ−２にシート部材８の穴部８ｂ−１、８ｂ−２を挿通させて、ヨーク９にシート部材８を敷設する。
【００４２】
次に、コイル６ａ，６ｂが取り付けられたボビン５ａ，５ｂの中空穴部（不図示）をヨーク９のステータ部９ｂ−１，９ｂ−２挿通させる。次に、ロータ３と回転軸４とが一体となったロータユニットの回転軸４にワッシャ７を挿通させ、回転軸４先端を軸受部材１０の穴部１０ａに嵌合させる。
【００４３】
次に、ヨーク９をカバー部材１に取り付ける。かかる取り付けの際には、ヨーク９の嵌合面部９ｃ−１−ａ〜９ｃ−４−ａおよび９ｃ−５，９ｃ−６が嵌合部１ｈ−１〜１ｈ−４，１ｇ−１，１ｇ−２にそれぞれ嵌合する。これにより、図２に示す状態となる。ここで、嵌合面部および嵌合部の一部、例えば嵌合面部９ｃ−５，９ｃ−６と嵌合部１ｇ−１，１ｇ−２とを圧入設定にすると、ヨーク９がカバー部材１に固定され、組立の際に不用意に分解して組み直すということがなくなる。そして、ピニオン１１を回転軸４の先端部に圧入等により固定することにより、駆動ユニットの組立が完了する。
【００４４】
次に、図１〜図４を参照して、駆動ユニットのカバー部材１を絞り機構のケース部材１３に取り付ける手順を説明する。
【００４５】
まず、図３に示すように、駆動ユニットのカバー部材１を、光軸方向より絞り機構のケース部材１３に移動させていく。その際、位置検出器１２をケース部材１３の収納部１３ｅに収める。次に、カバー部材１をさらにケース部材１３に接近させ、嵌合端面１ｅ−１−ａ，１ｅ−２−ａをケース部材１３の嵌合突起部１３ａ−２−ａ，１３ａ−２−ｂにそれぞれ嵌合させる。また、軸受部材１０のフランジ部１０ｂの外径をケース部材１３の穴部１３ｃに嵌合させる。
【００４６】
これらの嵌合により、カバー部材１がケース部材１３に位置決めされ、また、嵌合と同時に穴部１ｃ−１〜１ｃ−３に端子部１２ａを挿通させる。そして、カバー部材１をさらにケース部材１３に接近させると、座部１ｄの端面が受け面部１３ａ−３に当接する。受け面部１３ａ−３は傾斜面となっており、図１および図３に示すように、穴部１３ａ−１の中心と穴部１３ｃの中心とを結ぶ線方向にαの高低差が設けられ、穴部１３ｃ側の方が低くなっている。
【００４７】
次に、締結部材１７によりカバー部材１をケース部材１３に締め込んでいくと、座部１ｄの端面が高低差を持った受け面部１３ａ−３に倣おうとして薄肉片部１ｆが弾性変形する。高低差αは穴部１３ａ−１より穴部１３ｃ側の方が低くなっているので、この弾性変形により、ヨーク９の端面９ｅが座面１３ｄに当接する力が発生する。この状態で、ヨーク９とケース部材１３との光軸方向の位置が定まり、ピニオン１１の位置が適切な位置に配置される。
【００４８】
これにより、ピニオン１１のギヤ部１１ｂとロータリープレート１４のギヤ部１４ｃとの良好な噛み合いが維持され、絞り羽根１５による精度の良い開口径が得られる。なお、座面１３ｄに設けられた突起部１ｄ−２は、締結部材１７が締め込まれた時に該締結部材１７の端面が突起部１ｄ−２を押圧することで、座部１ｄの端面を受け面部１３ａ−３に積極的に倣わせようとするもので、薄肉片部１ｆ寄りに設けられている。
【００４９】
一方、カバー部材１をケース部材１３に取り付けた状態では、図５が示すように、弾性片部１ｋの係止爪部１ｋ−２の斜面部１ｋ−１とケース部材１３に施された係止爪部１３ｋとが接触する。このとき、弾性片部１ｋが若干の撓み量を持つように斜面部１ｋ−１の位置が設定されているため、図３を参照して、ヨーク９の端面９ｅの座面１３ｄへの当接力（付勢力）を持ったまま、カバー部材１がケース部材１３に保持される。
【００５０】
さらにこの状態では、図５が示すように、カバー部材１の突起部１ｊが位置検出器１２の端面１２ｂに当接し、張り出し片部１ｃが若干の撓み量を持って、位置検出素子１２を押圧保持している。
【００５１】
ここで、図４および図５に示すように、弾性変形するカバー部材１の薄肉片部１ｆの略中心位置をＰ、ヨーク９の端面９ｅが座面１３ｄへ当接する位置をＱ、弾性片部１ｋの係止突起１ｋ−２の斜面部１ｋ−１が係止爪部１３ｋと接触する位置をＲとする。また、張り出し片部１ｃの突起部１ｊが位置検出器１２の端面１２ｂに当接する位置をＳとする。
【００５２】
さらに、ヨーク部材９がＱ点で座面１３ｄを押圧する力ｆ１の線分ＰＱに対する垂直分力をｆ１ａ、カバー部材１がＲ点で受ける力ｆ２の線分ＰＲに対する垂直分力をｆ２ａ、カバー部材１がＳ点で受ける力ｆ３の線分ＰＳに対する垂直分力をｆ３ａとする。
【００５３】
そして、線分ＰＱの長さをＬ１、線分ＰＲの長さをＬ２、線分ＰＳの長さをＬ３とすると、ｆ１ａ・Ｌ１＋ｆ２ａ・Ｌ２＞ｆ３ａ・Ｌ３の関係を満足している。
【００５４】
少なくとも上記の関係を満たすことにより、張り出し片部１ｃの突起部１ｊが受ける力に負けて、カバー部材１がケース部材１３より浮き上がる（端面９ｅの座面１３ｄへの当接力を得ない）といった不具合を回避することができる。従って、ピニオン１１のギヤ部１１ｂとロータリープレート１４のギヤ部１４ｃとの良好な噛み合いが維持され、絞り羽根１５による精度の良い開口径が得られる。
【００５５】
以上説明したように、この実施の形態では、ロータリープレート１４の遮蔽板部１４ａに対して位置検出器１２をカバー部材１の付勢力により精度よく位置決め固定することができる。これにより、位置検出器１２の位置ずれによる検出タイミングの変動を回避することができる。
【００５６】
また、カバー部材１により光軸方向にケース部材１３を押さえる構造にして、駆動ユニットを回転させずに光軸方向に組み込むようにしている。これにより、駆動ユニットを固定するためのフランジ部等を設ける必要がなくなり、省スペース化を実現することができる。
【００５７】
なお、本発明は上記実施の形態に例示したものに限定されるものではなく、本発明の要旨を逸脱しない範囲において適宜変更可能である。
【００５８】
例えば、上記実施の形態では、カバー部材１に弾性片部１ｋを設けた場合を例示したが、ｆ１ａ・Ｌ１＞ｆ３ａ・Ｌ３の関係を満足していれば、弾性片部１ｋを省略してもよい。
【００５９】
また、ケース部材１３の受け面部１３ａ−３は、必ずしも傾斜面である必要はない。例えば、突起部が設けられた受け面部１３ａ−３と座部１ｄの端面とが押圧力を持って当接することで薄肉片部１ｆを弾性変形させ、ヨーク９の端面９ｅを座面１３ｄへ付勢力を持って当接させるようにしてもよい。また、上記突起部は受け面部１３ａ−３側ではなく座部１ｄ側に設けてもよい。
【００６０】
さらに、ヨーク９の端面９ｅとケース部材１３の座面１３ｄとの当接は、複数個の突起部による接触であってもよい。また、カバー部材１とヨーク９とを圧入設定にした場合は、ヨーク９がカバー部材１に固定されるので、座面１３ｄへの当接部をヨーク９の端面９ｅではなくカバー部材１の一部としてもよい。
【図面の簡単な説明】
【００６１】
【図１】本発明の実施の形態の一例である光量調節装置を説明するための分解斜視図である。
【図２】図１に示す光量調節装置の駆動ユニットを説明するための斜視図である。
【図３】図１に示す光量調節装置の絞り機構と駆動ユニットとの組立方法を説明するための図である。
【図４】図１に示す光量調節装置の絞り機構と駆動ユニットとの組立完了図である。
【図５】図４の部分断面図である。
【図６】図１に示す光量調節装置を搭載したレンズ交換式オートフォーカス一眼レフカメラの構成を示すブロック図である。
【符号の説明】
【００６２】
１          カバー部材
１ｄ−２    薄肉片部（薄肉部）
１ｊ        突起部（押圧部）
１ｋ        弾性片部
１ｋ−２    係止爪部（係止部）
２          ロータ
３          コア
４          回転軸
６          コイル
７          ワッシャ
８          シート部材
９          ヨーク
１０        軸受部材（軸受部）
１１        ピニオン
１２        位置検出器
１３        ケース部材
１４        ロータリープレート（駆動部材）
１５        絞り羽根
１６        カムプレート
【図１】
2008102342.tif 000003
【図２】
2008102342.tif 000004
【図３】
2008102342.tif 000005
【図４】
2008102342.tif 000006
【図５】
2008102342.tif 000007
【図６】
2008102342.tif 000008